【事件の表示】
　特願２００４−　　６０３２「階段型回折格子構造を有する平板レンズを採用してＣＤ−ＲＷに互換するＤＶＤ用光記録／ピックアップヘッド」拒絶査定不服審判事件〔平成１６年　６月１７日出願公開、特開２００４−１７１７５８〕について、次のとおり審決する。
【結　論】
　本件審判の請求は、成り立たない。
【理　由】
１．手続の経緯
　本件審判の請求に係る特許出願（以下、「本願」という。）は、平成１１年１０月２５日（パリ条約に基づく優先権主張外国受理　平成１０年１０月２３日　韓国）に出願した特願平１１−３０３１７４号の一部を平成１６年１月１３日に新たな特許出願としたものであって、平成１８年１１月２７日付で手続補正がなされ、平成１９年３月１日付で拒絶査定がなされ、これに対して、平成１９年５月３０日付で審判請求及び手続補正がなされたものである。
　
２．平成１９年５月３０日付の手続補正書についての補正却下の決定
［補正却下の決定の結論］
　平成１９年５月３０日付の手続補正（以下、「本件補正」という。）を却下する。
［理　由］
（１）補正後の本願発明
　本件補正により、特許請求の範囲の請求項１は、
「【請求項１】
　異なる波長を有する光を受光するレンズであって、
　第１領域と第２領域とを有し、
　前記第１領域は受光面の光学的中心を含み、前記第２領域は前記第１領域の外側に位置し、
　前記第１領域は異なる波長を有する第１光及び第２光を実質的に全透過させ、前記第２領域は前記第１光を全透過させ、前記第２光の殆んどを前記対物レンズの光軸側に回折させ、
　前記第２領域は回折格子を備え、
　前記回折格子は周期的に反復する階段型構造又は歯車構造よりなるレンズ。」
と補正された。
　上記補正は、請求項１に記載された発明を特定するために必要な事項である「第２領域」に対して「回折格子を備え、前記回折格子は周期的に反復する階段型構造又は歯車構造よりなる」との限定を付加するものであるから、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かについて以下に検討する。
　
（２）引用例
　原査定の拒絶の理由に引用文献１として引用されたオランダ国特許出願公開第１００８７３９号明細書（発行日１９９８年９年２９日）（パテントファミリー：特開平１０−２８３６６８号公報）（以下、「引用例１」という。）には、図面とともに以下の各記載がある。
　（なお、引用例１である、オランダ国特許出願公開第１００８７３９号明細書はパテントファミリーである特開平１０−２８３６６８号公報と基本的に同じであるから、当該公報の記載を翻訳文として付記する。また、下線は当審で付与した。）
　ア．「1.  Optische pick-up inrichting die compatibel is met ten minste twee typen optische registratiemedia met gebruikmaking van lichtbundels met respectieve verschillende golflengten voor het registreren en lezen van informatie, met het kenmerk, dat de optische pick-up inrichting omvat:
　twee laserlichtbronnen om lichtbundels uit te zenden met verschillende golflengten respectielijk;
　een holografische lens die een holografische ring omvat om een aantal lichtbundels die worden uitgezonden door de laserlichtbronnen in een binnengebied van de ring geheel over te dragen en om een specifieke lichtbundel uit de lichtbundels die worden uitgezonden door de laserlichtbronnen te breken in een buitengebied van het betreffende gebied;
　een objectieflens om de lichtbundels te focusseren die gaan door de holografische ringlens op de respectieve informatieregistratieoppervlakken van de twee typen optische registratiemedia;
　optische elementen om de optische banen te veranderen van de lichtbundels die worden gereflecteerd door de informatieregistratieoppervlakken van de optische registratiemedia; en
　twee fotodetectoren om afzonderlijke optische informatie te detecteren uit de lichtbundels die invallen vanuit de optische elementen.
2.  Optische pick-up inrichting volgens conclusie 1, met het kenmerk, dat de holografische lens is voorzien van een hologram dat is samengesteld uit een vlak onderdeel, waarin het hologram niet is aangebracht in een gebied van de objectieflens dat dichterbij de optische as is, maaris aangebracht in een buitengebied verderweg vanaf de optische as.」（１４頁１〜３３行）
（【請求項１】　情報の記録及び再生のために相異なる波長の光を使用する少なくとも二種の光記録媒体に互換する光ピックアップにおいて、
相異なる波長の光
ホログラム型リングを備え、前記リング内の領域では前記レーザ光源から射出する複数の光を全透過させ、前記領域以外の領域では前記レーザ光源から射出する光ビームのうち特定光ビームを回折させるホログラム型レンズと、前記ホログラム型レンズを通過した光を前記二種の光記録媒体の情報記録面に集光させる一枚の対物レンズ
前記光記録媒体の情報記録面から反射される光を光経路変更する光学素子と、
前記光学素子から出力される光から情報を検出する二つの光検出器を含む光ピックアップ。
　【請求項２】　
前記ホログラム型レンズは前記対物レンズの近軸領域にはホログラムが設けられず、近軸以外の領域にホログラムが設けられ
　
　イ．「6.  Optische pick-up inrichting volgens conclusie 1, met het kenmerk, dat de holografische lens geen licht met een betrekkelijk korte golflengte breekt en licht met een betrekkelijk lange golflengte breekt al naargelang de golflengten van het licht dat invalt.」（１５頁６〜２０行）
（請求項６】　
前記ホログラム型レンズは入射される光の波長により相対的に短波長の光を回折させず、相対的に長波長の光については回折作用する
　
　ウ．「8.  Optische pick-up inrichting volgens conclusie 1, met het kenmerk, dat de holografische lens een negatief optisch vermogen heeft.
9.  Optische pick-up inrichting volgens conclusie 1, met het kenmerk, dat de holografische lens dezelfde functie heeft als een gebruikelijke sferische lens en de lichtbundel in convergerende of divergerende vorm overdraagt.」（１５頁２４〜３０行）
（【請求項８】　
前記ホログラム型レンズは負（−）の光パワーを有する
　【請求項９】　
前記ホログラム型レンズは一般の球面レンズが光を集光させ発散させることと同一な機能を果たす
　
　エ．「11.  Optische pick-up inrichting volgens conclusie 1, met het kenmerk, dat de holografische ring stapsgewijze wordt gevormd.」（１６頁１〜３行）
（【請求項１１】　
前記ホログラム型リングは階段状である
　
　オ．「 Fig. 4A is een aanzicht dat de positierelatie toont tussen de holografische ringlens 35 en objectieflens 36. Zoals getoond in fig. 4A wordt objectieflens 36 verdeeld in gebieden A en B. Het gebied A dat dichterbij de optische as is heeft weinig effect op een sferische aberratie en het gebied B dat verder is van de optische as heeft een groot effect op de sferische aberratie. Ook is de objectieflens 36 het meest geschikt voor een schijf met een dunne dikte zoals een DVD. Wanneer derhalve een DVD wordt uitgewisseld met een dikke schijf zoals CD-R om de optische pick-up te laten werken is de holografische ringlens 35 vereist. Indien de holografische ringlens 35 niet wordt gebruikt bij het registreren en lezen van informatie op de CD-R wordt de sferische aberratie in de bundelvlek die wordt gevormd op het informatieregistratieoppervlak van de schijf groot, waarbij de af met ing meer is dan 1,7 μm. In het algemeen isde afmeting van de bundelvlek die wordt gevormd op het informatieregistratieoppervlak van de CD-R 1,4 μm. De holografische ringlens 35 breekt de lichtbundel die gaat door het gebiedB van de objectieflens 36 en voorkomt het opwekken van sferische aberratie waarvoor een hologram aangeduid met punten in fig. 4B zich bevindt tussen de buitengrens van het gebied A en het gebied B. Derhalve gaat de lichtbundel die invalt op de holografische ringlens 35 en gaat door het gebied A van de objectieflens 36 door de objectieflens 36 zonder enige diffractie door de holografische ringlens 35, en wordt vervolgens direct gefocusseerd op de schijf. De lichtbundel die invalt op de holografische ringlens 35 en gaat door het gebied B van de objectieflens 36 wordt gebroken door de holografische ringlens 35 en gaat vervolgens verder naar de objectieflens 36. De gebroken lichtbundel die gaat door de objectieflens 36 maakt de afmeting van de bundelvlek die wordt gefocusseerd op de schijf kleiner en er wordt geen sferische aberratie opgewekt. Een brandpuntsoppervlak van de schijf waarop de gebroken lichtbundel, die gaat door het gebied B, wordt gefocusseerd moet samenvallen met een geoptimaliseerd oppervlak van de schijf waarop de lichtbundel die gaat door het gebied A wordt gefocusseerd. Met gebruikmaking van de holografische ring-vormige lens 35 wordt de werkafstand vanaf het oppervlak van de objectieflens 36 naar de informatieregistratieoppervlakken van de schijven korter inde CD-R 41 dan in de DVD 37.
　Fig. 5A is een aanzicht dat de structuur toont van de holografische ringlens 35. Een gebied D waar het hologram in de holografische ringlens 35, getoond in fig.5A, zich bevindt, correspondeert met de numerieke apertuur van 0,3-0,5 die naar men aanneemt geschikt is voor de CD-R. In fig. 5A duidt het symbool E de diameter aan van de objectieflens voor een DVD waarvan de numerieke apertuur (NA) 0,6 is. Ook kan de holografische ringlens 35 die wordt gebruikt in de onderhavige uitvinding op selectieve wijze de numerieke apertuur (NA) instellen van de objectieflens al naargelang de golflengten van de lichtbundel en vereist geen separate apertuur. De holografische ringlens 35 heeft dezelfde functie als in een gebruikelijke sferische lens die een lichtbundel overdraagt in convergerende of divergerende vorm. Voorts heeft de holografische ringlens 35 een negatief optisch vermogen en maakt gebruik van een faseverschuivingshologram. De geoptimaliseerde dieote van de groef moet zodanig worden bepaald dat de holografische ringlens 35 op selectieve wijze de invallende lichtbundel breekt al naargelang de golflengte ervan. De holografische ringlens 35 wordt zodanig geconstrueerd dat de lichtbundelmet een golflengte van 650 nm een doorlaatrendement heeft dichtbij 100% en dat de lichtbundel met een golflengte van 780 nm een doorlaatrendement van de nulde-orde van 0% heeft ten opzichte van de niet-gebroken lichtbundel. Hiervoor moet de fasevariatie door de groefdiepte van de holografische ringlens 35 360°zijn ten opzichte van het licht met een golflengte van 650 nm. Daar de fasevariatie wordt voortgebracht met 360°draagt de holografische ringlens 35 het licht met een golflengte van 650 nm over. De fasevariatie moet plaatsvinden met 180°ten opzichte van het licht met een golflengte van 780 nm, waardoor het licht met een golflengte van 780 nm geheel wordt gebroken als licht van de eerste orde. Als gevolg wordt holograf ische ri'nglens 35 niet ontworpen om het licht met een golflengte van 650 nm te breken maar om het licht met een golflengte van 780 nm te breken als licht van de eerste orde.」（８頁３２行〜１１頁３行）
（図４（ａ）はホログラム型リングレンズ３５と対物レンズ３６との位置関係を示す。図４（ａ）において、本発明に用いられる対物レンズ３６は球面収差にほぼ影響を与えない近軸領域Ａと球面収差に大きな影響を与える遠軸領域Ｂに区分されている。
また、この対物レンズ３６は薄いディスク（ＤＶＤなど）に最適化されている。従って、厚いディスク（ＣＤ−Ｒなど）に取り替えて光ピックアップを作動させたい時はホログラム型リングレンズ３５が必要である。もし、ＣＤ−Ｒに対する情報記録／再生時にホログラム型リングレンズ３５を使用しなければ、ディスクの情報記録面上に形成される光スポットは球面収差が大きくなり、球面収差のサイズは１．７μｍ以上となる。一般的なＣＤ−Ｒの情報記録面に形成される光スポットのサイズは１．４μｍである。それで、ホログラム型リングレンズ３５は対物レンズ３６のＢ領域を通過する光を回折させ球面収差が発生されないようホログラム型リングレンズ３５はホログラム（図４（ｂ）において破線で示した部分）をＡ領域の外側境界とＢ領域との間に位置させる。従って、ホログラム型リングレンズ３５に入射し対物レンズ３６のＡ領域を通過する光はホログラム型リングレンズ３５で回折されず、対物レンズ３６を通過してディスクに直接集光される。そして、ホログラム型リングレンズ３５に入射し対物レンズ３６のＢ領域を通過する光はホログラム型リングレンズ３５で回折され対物レンズ３６を通過する。
　図５（ａ），（ｂ）にホログラム型リングレンズ３５の構造を示す。
図５（ａ）のホログラム型リングレンズ３５においてホログラムの設けられる領域ＤはＣＤ−Ｒを再生するに適するよう対物レンズの開口数０．３〜０．５に制限する。
また、本発明に使うホログラム型リングレンズ３５は光の波長に選択的に対物レンズの開口数調節も可能なので別の絞りを必要としない。前記ホログラム型リングレンズ３５は一般の球面レンズが光を集光させたり発散させることと同様な機能を果たす。また、本発明においてホログラム型リングレンズ３５は負（−）の光パワーを有し、位相変調形ホログラムを使用する。このホログラム型リングレンズ３５が入射される光の波長により選択的に回折させるためには最適の表面食刻深さを決定すべきである。それで、ホログラム型リングレンズ３５が６５０ｎｍ波長については０次透過効率が１００％に近くすべきであり、７８０ｎｍ波長については０次透過効率が０％となるよう構成するべきである。
この７８０ｎｍ波長の光は全て１次光に回折される。つまり、ホログラム型リングレンズ３５が６５０ｎｍ波長の光については回折されなくし、７８０ｎｍ波長の光については全て１次光に回折されて作用させる
　
　カ．「Een hologram heeft een groef met een constante diepte door etsen of kan worden vervaardigd door metaalgieten. Voorts kan het hologram stapsgewijze worden gevormd samen met een ringpatroon.
　Fig. 6 is een grafisch aanzicht en toont het doorlaatrendement van de nulde-orde van de holografische ringlens 35 al naargelang de golflengten van het invallende 25  licht. Wanneer de oppervlaktegroefdiepte d 3,8 μm is, wordt het licht met een golflengte van 650 nm overgedragen via de holografische ringlens 35 met 100% zoals getoond door een ononderbroken lijn die wordt overlapt met het symbool ++, en wordt het licht met een golflengte van 780 nm overgedragen via de holografische ringlens 35 met 0% zoals getoond in een ononderbroken lijn overlapt met een cirkel. De holografische ringlens 35 breekt nu het licht met een golflengte van 780 nm als het licht van de eerste-orde, waarbij het diffractierendement ervan 40% is. 
　Het licht met een golflengte van 650 nm dat invalt op de holografische ringlens 35 met de bovengenoemde karakteristieken wordt geheel overgedragen en gaat vervolgens naar de objectieflens 36. De invallende lichtbundel gaat door de objectieflens 36 en vormt een bundelvlek op het informatieregistratieoppervlak van de DVD 37. De lichtbundel die wordt gereflecteerd door het informatieregistratieoppervlak van de DVD 37 valt in op de holografische ringlens 35. De holografische ringlens 35 verandert de optische baan van de invallende lichtbundel en richt de lichtbundel naar de fotodetector 38. Het licht met een golflengte van 780 nm dat invalt op de holografische ringlens 35 wordt overgedragen in het gebied A en gaat vervolgens naar de objectieflens 36 en wordt gebroken in het gebied B en gaat naar de objectieflens 36 zoals getoond in fig. 4A. Derhalve vormt de lichtbundel die door de objectieflens 36 gaat een geoptimaliseerde bundelvlek op het informatieregistratieoppervlak van de CD-R 41. De lichtbundel die wordt gereflecteerd door het informatieregistratieoppervlak van de CD-R 41 valt in op de bundelsplitser 33 en wordt vervolgens gereflecteerd. Het gereflecteerde licht gaat verder naar holografisch bundelsplitser 40 en valt vervolgens in op de fotodetector 42 door de optische baan te veranderen.」（１１頁１７行〜１２頁２６行）
（・・このホログラムは食刻による一定深さの凹凸溝があり金型で製造されることもできる。
且つホログラムはリング形状を有しつつ階段状でも可能である
　
図６は入射される光の波長によるホログラム型リングレンズ３５の０次透過効率を示す。表面食刻深さｄが３．８μｍの際、６５０ｎｍ波長はホログラム型リングレンズ３５を１００％（＋＋実線）透過し、７８０ｎｍ波長はホログラム型リングレンズを０％（○○実線）透過する。ホログラム型リングレンズは７８０ｎｍ波長を全て１次光に回折し、この際１次光回折効率は４０％を満たす。前述した特性を有するホログラム型リングレンズ３５に入射された６５０ｎｍ波長の光は全透過して真っ直ぐ対物レンズ３６に入射される。
　
一方、ホログラム型リングレンズ３５に入射された７８０ｎｍ波長の光は、図４（ａ）において、Ａ領域をそのまま透過して対物レンズ３６に進み、Ｂ領域では回折され対物レンズ３６に進む。
　
　上記記載事項及び図面を総合勘案すると、引用例１には、次の発明（以下、「引用発明」という。）が記載されている。
　「相異なる波長の６５０ｎｍの光と７８０ｎｍの光とが入射されるホログラム型リングレンズ３５であって、
　ホログラムが設けられたリング形状の領域Ｄと、該領域Ｄのリング内であってホログラムが設けられない円形状の領域とを有し、
　前記ホログラムが設けられない円形状の領域は相異なる６５０ｎｍの光と７８０ｎｍの光とを全透過させ、前記ホログラムが設けられたリング形状の領域Ｄは６５０ｎｍの光を回折させず０次透過効率１００％近くで全透過させ、７８０ｎｍの光を０次透過効率が０％で全て１次光に回折させて対物レンズに入射させ、
　前記ホログラムが設けられたリング形状の領域におけるホログラムは一定深さの凹凸溝あるいは階段状よりなり、
　一般の球面レンズが光を集光させたり発散させることと同様な機能を果たし、本発明においては負（−）の光パワーを有するホログラム型リングレンズ。」
　
（３）対比
　そこで、本願補正発明と引用発明とを対比すると、
　引用発明におけるホログラム型レンズに入射される、すなわちホログラム型レンズが受光する「６５０ｎｍの光」、「７８０ｎｍの光」は相異なる波長であり、それぞれ本願補正発明における異なる波長を有する「第１光」、「第２光」に相当する。
　引用発明における「ホログラムが設けられたリング形状の領域Ｄと、該領域Ｄのリング内であってホログラムが設けられない円形状の領域とを有」することは、「円形状の領域」が光学的中心を含むことは明らかであり、「リング形状の領域Ｄ」はその円形状の領域の外側に位置するものであるから、本願補正発明における「第１領域と第２領域とを有し、前記第１領域は受光面の光学的中心を含み、前記第２領域は前記第１領域の外側に位置」することに相当する。
　そして、引用発明における「前記ホログラムが設けられない円形状の領域は相異なる６５０ｎｍの光と７８０ｎｍの光とを全透過させ、前記ホログラムが設けられたリング形状の領域Ｄは６５０ｎｍの光を回折させず０次透過効率１００％近くで全透過させ、７８０ｎｍの光を０次透過効率が０％で全て１次光に回折させて対物レンズに入射させ」ることは、「前記第１領域は異なる波長を有する第１光及び第２光を実質的に全透過させ、前記第２領域は前記第１光を全透過させ、前記第２光の殆んどを回折させて対物レンズに入射させ」るものである点で本願補正発明と相違がない。
　また、引用発明における「前記ホログラムが設けられたリング形状の領域におけるホログラムは一定深さの凹凸溝あるいは階段状よりな」ることは、「ホログラム」が７８０ｎｍの光に対して回折作用をもち「回折格子」に相当することは明らかであり、また、「階段状」は本願補正発明でいう「階段型構造」に他ならないから、「前記第２領域は回折格子を備え、前記回折格子は階段型構造よりなる」点で本願補正発明と相違がない。
　よって、本願補正発明と引用発明とは、
　「異なる波長を有する光を受光するレンズであって、
　第１領域と第２領域とを有し、
　前記第１領域は受光面の光学的中心を含み、前記第２領域は前記第１領域の外側に位置し、
　前記第１領域は異なる波長を有する第１光及び第２光を実質的に全透過させ、前記第２領域は前記第１光を全透過させ、前記第２光の殆んどを回折させて対物レンズに入射させ、
　前記第２領域は回折格子を備え、
　前記回折格子は階段型構造よりなるレンズ。」
である点で一致し、以下の点で相違する。
［相違点１］
　本願補正発明は、第２光の殆んどを「前記対物レンズの光軸側に」回折させると特定するのに対し、引用発明では、レンズが負（−）の光パワーを有することから第２光の殆んどを対物レンズの光軸と反対側に回折させるものである点。
［相違点２］
　本願補正発明は、回折格子の階段型構造が「周期的に反復する」と特定するのに対し、引用発明には、このような特定がない点。
　
（４）判断
　上記相違点について検討する。
［相違点１］について
　本願補正発明と引用発明とでは第２光の回折させる方向が逆であるが、引用例１には上記（２）ウ．やオ．を参照するとレンズが「一般の球面レンズが光を
集光させたり
［相違点２］について
　回折格子の構造は、上述のように対物レンズの特性や、いずれの方向の回折次数の光をメインとするかなどレンズに求める特性に応じて適宜設計されるものであるところ、階段型構造にあっても、原査定の拒絶の理由に引用文献２として引用された特開平１０−２６１２４１号公報に見られるように、周期的に反復するように構成されるのがごく普通のことである。
　なお、本願補正発明において、「歯車構造」についてはその意味するところが不明確であるが、いわゆる「鋸歯状構造」を意味するものと解されるところ、回折格子として周期的に反復する鋸歯状構造も同じく引用文献２として引用された特開平１０−２６１２４１号公報（段落【０００９】、図３１）に記載のように周知のものである。
　よって、引用発明においても、第２領域に関して、第２光を光軸側に回折させるものであって、回折格子が周期的に反復する階段型構造又は歯車構造よりなるものとすることは当業者が容易になし得ることである。
　そして、本願発明が奏する効果は、引用例１に記載された発明及び周知技術から、当業者が十分に予測できたものであって、格別顕著なものがあるとはいえない。
　
（５）むすび
　以上のとおり、本願補正発明は、引用発明及び周知事項に基づいて当業者が容易に発明をすることができたものであるから、特許法第２９条第２項の規定により、特許出願の際独立して特許を受けることができないものである。
　したがって、本件補正は、平成１８年改正前特許法第１７条の２第５項で準用する同法第１２６条第５項に規定する要件を満たさないものであるから、特許法第１５９条第１項で読み替えて準用する同法第５３条第１項の規定により却下すべきものである。
　
３．本願発明について
　平成１９年５月３０日付の手続補正は上記のとおり却下されたので、本願の請求項１に係る発明は、平成１８年１１月２７日付手続補正書の特許請求の範囲の請求項１に記載された、以下のとおりのものである。
　「【請求項１】
　異なる波長を有する光を受光するレンズであって、
　第１領域と第２領域とを有し、
　前記第１領域は受光面の光学的中心を含み、前記第２領域は前記第１領域の外側に位置し、
　前記第１領域は異なる波長を有する第１光及び第２光を実質的に全透過させ、前記第２領域は前記第１光を全透過させ、前記第２光の殆んどを前記対物レンズの光軸側に回折させるレンズ。」
　
　（１）引用例
　原査定の拒絶の理由で引用された引用例及びその記載事項は、前記「２．（２）」に記載したとおりである。
　
　（２）対比・判断
　本願発明は、前記２．で検討した本願補正発明の発明特定事項である「第２領域」について、「回折格子を備え、前記回折格子は周期的に反復する階段型構造又は歯車構造よりなる」と限定のあるところを省いたものに相当する。
　そうすると、本願発明の発明特定事項を全て含み、更に他の限定事項を付加したものに相当する本願補正発明が前記「２．（４）」に記載したとおり、引用発明及び周知事項に基づいて当業者が容易に発明をすることができたものであるから、本願発明も、同様の理由により、引用発明及び周知事項に基づいて当業者が容易に発明をすることができたものである。
　
（３）むすび
　以上のとおり、本願発明は、特許法第２９条第２項の規定により特許を受けることができないものであるから、その余の請求項について論及するまでもなく、本願は拒絶すべきものである。
　よって、結論のとおり審決する。